(57)【要約】【課題】  記録媒体カートリッジのホルダーへの挿入時のホルダー及び記録媒体カートリッジの破損及び傷付きを防止する。【解決手段】  記録再生部が配置されたシャーシ７を設け、ホルダー８に一対の側面部３１、３２と該側面部の記録媒体カートリッジ１００の厚み方向における一方の端縁間を連結する連結面部３０と側面部の記録媒体カートリッジの厚み方向における他方の端縁から互いに近付く方向へ突出された一対の突出面部３３、３４と該一対の突出面部のホルダーの挿入口３６側の端縁からそれぞれ連結面部の反対側へ突出された受け面部３５、３５とを設け、ホルダーの一対の突出面部を連結面部よりシャーシ側に位置させ、ホルダーの受け面部の側面部と反対側に位置する端縁に、ホルダーに対する記録媒体カートリッジの挿入方向へ行くに従って互いに近付くように変位する平面状又は曲面状に形成された受部３５ｂ、３５ｂを設けた。【選択図】図１１
2005267827.tif 000002
【特許請求の範囲】
【請求項１】
挿入方向における先端側の周縁が略円弧状に形成されたケース体内に記録媒体が収納されて成る記録媒体カートリッジが挿入される挿入口を有し該挿入口から挿入された記録媒体カートリッジを保持するホルダーと、
上記記録媒体に対して情報信号の記録若しくは再生又はこれらの双方を行う記録再生部と、
該記録再生部が配置されたシャーシとを備え、
ホルダーは一対の側面部と該側面部の記録媒体カートリッジの厚み方向における一方の端縁間を連結する連結面部と側面部の記録媒体カートリッジの厚み方向における他方の端縁から互いに近付く方向へ突出された一対の突出面部と該一対の突出面部の上記挿入口側の端縁からそれぞれ連結面部の反対側へ突出された受け面部とを有し、
ホルダーの一対の突出面部が連結面部よりシャーシ側に位置され、
ホルダーの受け面部の側面部と反対側に位置する端縁に、上記挿入方向へ行くに従って互いに近付くように変位する平面状又は曲面状に形成された受部を設けた
ことを特徴とする記録媒体ドライブ装置。
【請求項２】
上記受部と突出面部との連続部分に、平面状又は曲面状に形成され挿入される記録媒体カートリッジをホルダーの内部に案内するガイド面部を設けた
ことを特徴とする請求項１に記載の記録媒体ドライブ装置。
【請求項３】
記録媒体に対して情報信号の記録若しくは再生又はこれらの双方を行う記録媒体ドライブ装置を備えた電子機器であって、
挿入方向における先端側の周縁が略円弧状に形成されたケース体内に記録媒体が収納されて成る記録媒体カートリッジが挿入される挿入口を有し該挿入口から挿入された記録媒体カートリッジを保持するホルダーと、
上記記録媒体に対して情報信号の記録若しくは再生又はこれらの双方を行う記録再生部と、
該記録再生部が配置されたシャーシとを備え、
ホルダーは一対の側面部と該側面部の記録媒体カートリッジの厚み方向における一方の端縁間を連結する連結面部と側面部の記録媒体カートリッジの厚み方向における他方の端縁から互いに近付く方向へ突出された一対の突出面部と該一対の突出面部の上記挿入口側の端縁からそれぞれ連結面部の反対側へ突出された受け面部とを有し、
ホルダーの一対の突出面部が連結面部よりシャーシ側に位置され、
ホルダーの受け面部の側面部と反対側に位置する端縁に、上記挿入方向へ行くに従って互いに近付くように変位する平面状又は曲面状に形成された受部を設けた
ことを特徴とする記録媒体ドライブ装置を備えた電子機器。
【請求項４】
上記受部と突出面部との連続部分に、平面状又は曲面状に形成され挿入される記録媒体カートリッジをホルダーの内部に案内するガイド面部を設けた
ことを特徴とする請求項３に記載の記録媒体ドライブ装置を備えた電子機器。
【発明の詳細な説明】
【技術分野】
【０００１】
本発明は記録媒体ドライブ装置及びこれを備えた電子機器についての技術分野に関する。詳しくは、記録媒体カートリッジのホルダーへの挿入時のホルダー及び記録媒体カートリッジの破損及び傷付きを防止する技術分野に関する。
【背景技術】
【０００２】
ケース体内に記録媒体、例えば、ディスク状記録媒体が回転可能に収納されて成るディスクカートリッジのディスク状記録媒体に対して、情報信号の記録若しくは再生又はこれらの双方を行う記録媒体ドライブ装置がある（例えば、特許文献１参照）。
【０００３】
記録媒体ドライブ装置には、ディスクカートリッジを保持するホルダーが設けられ、ホルダーにディスクカートリッジが挿入されたときにケース体にスライド自在に支持されたシャッターが開放されてディスク状記録媒体に対する情報信号の記録又は再生が行われる。
【０００４】
ディスクカートリッジを保持するホルダーは、一般に、金属板を折曲加工することにより形成され、開口部を有している。この開口部は、ホルダーの下方に位置するシャーシに配置されたディスクテーブルにディスク状記録媒体を装着すると共に光ピックアップのディスク状記録媒体に対するアクセスを可能とするために必要とされる。
【０００５】
図４３に示すように、ホルダーａは、例えば、その下側に位置する図示しないシャーシに回動自在に支持され、一対の側面部ｂ、ｂと該側面部ｂ、ｂの上縁間を連結する連結面部ｃと側面部ｂ、ｂの両下縁から互いに近付く方向へ突出された一対の突出面部ｄ、ｄとを有し、突出面部ｄ、ｄ間が上記した開口部ｅとして形成されている。また、突出面部ｄ、ｄの前端部は連結面部ｃの反対側に折り曲げられ受け面部ｆ、ｆとして形成され、ディスクカートリッジのホルダーａへの挿入時に突出面部ｄ、ｄの前端のエッジとディスクカートリッジとの接触による両者の破損及び傷付きが防止されている。
【０００６】
【特許文献１】特開平８−９６４６３号公報
【発明の開示】
【発明が解決しようとする課題】
【０００７】
ところで、ディスクカートリッジには、その形状や大きさの相違により種々のタイプがあるが、ホルダーに対する良好な挿入性を確保するための形状を有するディスクカートリッジとして、例えば、本出願人による特願２００３−２８１３８８号に記載されたディスクカートリッジｘがある（図４３参照）。ディスクカートリッジｘはホルダーａに対する挿入方向における先端側の周面ｙが略円弧状に形成され、ホルダーａに対する挿入の向きが円弧方向又は左右方向にずれた状態で行われたときにおいても、円弧状の周面ｙがホルダーａの一方の側面部ｂと摺接してホルダーａの内部に案内されるため、良好な挿入性を確保することができる。
【０００８】
ところが、このような先端側の周面ｙが略円弧状に形成されたディスクカートリッジｘをホルダーａに挿入しようとした場合には、ホルダーａに対して周面ｙが下方に位置するように傾斜した状態となってしまったときに、ディスクカートリッジｘの周面ｙが受け面部ｆ、ｆの内側のエッジｇ、ｇと接触してしまい、ディスクカートリッジｘや受け面部ｆ、ｆが破損したり傷付いてしまうおそれがある。
【０００９】
そこで、本発明記録媒体ドライブ装置及びこれを備えた電子機器は、上記した問題点を克服し、記録媒体カートリッジのホルダーへの挿入時のホルダー及び記録媒体カートリッジの破損及び傷付きを防止することを課題とする。
【課題を解決するための手段】
【００１０】
本発明記録媒体ドライブ装置及びこれを備えた電子機器は、上記した課題を解決するために、挿入方向における先端側の周縁が略円弧状に形成されたケース体内に記録媒体が収納されて成る記録媒体カートリッジが挿入される挿入口を有し該挿入口から挿入された記録媒体カートリッジを保持するホルダーと、上記記録媒体に対して情報信号の記録若しくは再生又はこれらの双方を行う記録再生部と、該記録再生部が配置されたシャーシとを設け、ホルダーに一対の側面部と該側面部の記録媒体カートリッジの厚み方向における一方の端縁間を連結する連結面部と側面部の記録媒体カートリッジの厚み方向における他方の端縁から互いに近付く方向へ突出された一対の突出面部と該一対の突出面部の上記挿入口側の端縁からそれぞれ連結面部の反対側へ突出された受け面部とを設け、ホルダーの一対の突出面部を連結面部よりシャーシ側に位置させ、ホルダーの受け面部の側面部と反対側に位置する端縁に、ホルダーに対する記録媒体カートリッジの挿入方向へ行くに従って互いに近付くように変位する平面状又は曲面状に形成された受部を設けたものである。
【００１１】
従って、本発明記録媒体ドライブ装置及びこれを備えた電子機器にあっては、ホルダーに対する記録媒体カートリッジの挿入時に該記録媒体カートリッジが受部と接触可能な状態となる。
【発明の効果】
【００１２】
本発明記録媒体ドライブ装置は、挿入方向における先端側の周縁が略円弧状に形成されたケース体内に記録媒体が収納されて成る記録媒体カートリッジが挿入される挿入口を有し該挿入口から挿入された記録媒体カートリッジを保持するホルダーと、上記記録媒体に対して情報信号の記録若しくは再生又はこれらの双方を行う記録再生部と、該記録再生部が配置されたシャーシとを備え、ホルダーは一対の側面部と該側面部の記録媒体カートリッジの厚み方向における一方の端縁間を連結する連結面部と側面部の記録媒体カートリッジの厚み方向における他方の端縁から互いに近付く方向へ突出された一対の突出面部と該一対の突出面部の上記挿入口側の端縁からそれぞれ連結面部の反対側へ突出された受け面部とを有し、ホルダーの一対の突出面部が連結面部よりシャーシ側に位置され、ホルダーの受け面部の側面部と反対側に位置する端縁に、上記挿入方向へ行くに従って互いに近付くように変位する平面状又は曲面状に形成された受部を設けたことを特徴とする。
【００１３】
従って、ホルダーに対する記録媒体カートリッジの挿入の開始時に、記録媒体カートリッジがホルダーに対して受け面部側にずれた状態とされた場合には、受部に記録媒体カートリッジが接し、該記録媒体カートリッジがホルダー内に挿入されないため、ユーザーはホルダーに対して記録媒体カートリッジが誤挿入されたことを認識することができ、また、受部が挿入方向へ行くに従って互いに近付くように変位する平面状又は曲面状に形成されているため、受け面部及びケース体の破損や傷付きを防止することができる。
【００１４】
請求項２に記載した発明にあっては、上記受部と突出面部との連続部分に、平面状又は曲面状に形成され挿入される記録媒体カートリッジをホルダーの内部に案内するガイド面部を設けたので、ホルダーに対する記録媒体カートリッジの挿入の開始時に、記録媒体カートリッジがホルダーに対して突出面部側にずれた状態とされた場合でも、ガイド面部に記録媒体カートリッジが摺接されてホルダー内に案内されていくため、ホルダー内に記録媒体カートリッジを円滑に挿入することができる。
【００１５】
本発明記録媒体ドライブ装置を備えた電子機器は、記録媒体に対して情報信号の記録若しくは再生又はこれらの双方を行う記録媒体ドライブ装置を備えた電子機器であって、挿入方向における先端側の周縁が略円弧状に形成されたケース体内に記録媒体が収納されて成る記録媒体カートリッジが挿入される挿入口を有し該挿入口から挿入された記録媒体カートリッジを保持するホルダーと、上記記録媒体に対して情報信号の記録若しくは再生又はこれらの双方を行う記録再生部と、該記録再生部が配置されたシャーシとを備え、ホルダーは一対の側面部と該側面部の記録媒体カートリッジの厚み方向における一方の端縁間を連結する連結面部と側面部の記録媒体カートリッジの厚み方向における他方の端縁から互いに近付く方向へ突出された一対の突出面部と該一対の突出面部の上記挿入口側の端縁からそれぞれ連結面部の反対側へ突出された受け面部とを有し、ホルダーの一対の突出面部が連結面部よりシャーシ側に位置され、ホルダーの受け面部の側面部と反対側に位置する端縁に、上記挿入方向へ行くに従って互いに近付くように変位する平面状又は曲面状に形成された受部を設けたことを特徴とする。
【００１６】
従って、ホルダーに対する記録媒体カートリッジの挿入の開始時に、記録媒体カートリッジがホルダーに対して受け面部側にずれた状態とされた場合には、受部に記録媒体カートリッジが接し、該記録媒体カートリッジがホルダー内に挿入されないため、ユーザーはホルダーに対して記録媒体カートリッジが誤挿入されたことを認識することができ、また、受部が挿入方向へ行くに従って互いに近付くように変位する平面状又は曲面状に形成されているため、受け面部及びケース体の破損や傷付きを防止することができる。
【００１７】
請求項４に記載した発明にあっては、上記受部と突出面部との連続部分に、平面状又は曲面状に形成され挿入される記録媒体カートリッジをホルダーの内部に案内するガイド面部を設けたので、ホルダーに対する記録媒体カートリッジの挿入の開始時に、記録媒体カートリッジがホルダーに対して突出面部側にずれた状態とされた場合でも、ガイド面部に記録媒体カートリッジが摺接されてホルダー内に案内されていくため、ホルダー内に記録媒体カートリッジを円滑に挿入することができる。
【発明を実施するための最良の形態】
【００１８】
以下に、本発明記録媒体ドライブ装置及びこれを備えた電子機器の最良の形態を添付図面に従って説明する。尚、以下に示した最良の形態は、本発明電子機器を携帯用のゲーム機器に適用し、本発明記録媒体ドライブ装置をこの携帯用のゲーム機器に備えられた記録媒体ドライブ装置に適用したものである。
【００１９】
尚、本発明の適用範囲は、携帯用のゲーム機器及びこれに備えられた記録媒体ドライブ装置に限られることはなく、本発明電子機器は、記録媒体を扱う各種の電子機器、例えば、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置、テレビやラジオ等の視聴用の機器、ディスク状記録媒体やテープカセット等の各種の記録媒体を扱う記録用の機器や音響機器等に広く適用することができ、本発明記録媒体ドライブ装置は、こられの各種の電子機器において扱われる記録媒体について情報信号の記録若しくは再生又はこれらの双方を行う記録媒体ドライブ装置に広く適用することができる。
【００２０】
先ず、記録媒体を有する記録媒体カートリッジについて説明する（図１乃至図５参照）。
【００２１】
記録媒体カートリッジ１００は扁平なケース体１０１内にディスク状の記録媒体２００が回転可能に収納されて成る（図１及び図２参照）。
【００２２】
ケース体１０１は、図１に示すように、後述するホルダーに対する挿入方向における長さＬが該挿入方向に直交する方向における長さＨに対して稍長くなるように形成されている。
【００２３】
ケース体１０１はアッパーシェル１０２とロアーシェル１０３とが上下で結合されて成る（図２参照）。ケース体１０１は上記挿入方向（図２に示すＡ方向）における半部が略半円形状に形成され、その周面が円弧状に形成された円弧面１０１ａとして形成されている。ケース体１０１の上記挿入方向と反対方向（図２に示すＢ方向）における半部は横長の形状に形成され、円弧面１０１ａの両端に連続する面がそれぞれ挿入方向に延びる側面１０１ｂ、１０１ｃとして形成されている。側面１０１ｂと側面１０１ｃの挿入方向と反対方向における端部間の周面は、緩やかな凸曲面を為す曲面１０１ｄとして形成されている。
【００２４】
ケース体１０１の円弧面１０１ａには、左側の側面１０１ｂに寄った位置に機能拡張用溝１０４が形成されている（図１及び図２参照）。機能拡張用溝１０４の側面１０１ｂ側の開口縁１０４ａは円弧面１０１ａと側面１０１ｂの連続部分に位置されている。機能拡張用溝１０４は、例えば、ホルダーに対する記録媒体カートリッジ１００の挿入時に、該記録媒体カートリッジ１００をホルダー内に引き込むときに引込手段を係合させて確実な引込を行うための溝として利用する他、記録媒体カートリッジ１００をホルダー内から取り出すときに取出手段を係合させて確実な取出を行うための溝として利用することが可能であり、機能の拡張を図るためのものである。
【００２５】
ケース体１０１には、右側の側面１０１ｃから円弧面１０１ａに亘る部分に、挿入溝１０５が形成されている（図２及び図３参照）。側面１０１ｃには、挿入溝１０５の上側の位置に、上記挿入方向に延びる係合溝１０１ｅが形成されている（図４参照）。
【００２６】
ケース体１０１には、図３に示すように、その下面の中央部にテーブル挿入孔１０１ｆが形成され、下面のテーブル挿入孔１０１ｆの右方には浅いスライド用凹部１０１ｇが形成されている。スライド用凹部１０１ｇの一部には後述する光ピックアップに設けられた発光部から出射されるレーザー光を透過するための光透過孔１０１ｈが形成されている。
【００２７】
ケース体１０１の下面には、曲面１０１ｄの近傍の位置に左右に離隔して位置決め穴１０１ｉ、１０１ｉが形成されている。
【００２８】
側面１０１ｂの上記挿入方向における略中央部には、係合凹部１０１ｊが形成されている。係合凹部１０１ｊは側方及び下方に開口されている。
【００２９】
側面１０１ｂの挿入方向と反対方向における端部には、逃げ凹部１０１ｋが形成されている。逃げ凹部１０１ｋは側方及び挿入方向と反対方向に開口されている。
【００３０】
ケース体１０１の挿入方向と反対方向における半部には、その左右両端部に記録媒体２００が収納されていない部分が存在し、この部分のうち右端側の部分が機構配置部１０６として形成されている（図５参照）。機構配置部１０６にはバネ掛け軸１０７とロック用突部１０８が設けられている。
【００３１】
機構配置部１０６にはトグルバネ１０９が支持されている。トグルバネ１０９はコイル部１０９ａと該コイル部１０９ａからそれぞれ突出された第１の腕部１０９ｂと第２の腕部１０９ｃとから成り、第１の腕部１０９ｂの先端部がバネ掛け軸１０７に支持されている。
【００３２】
ケース体１０１にはシャッター１１０がスライド自在に支持されている。シャッター１１０は板状の金属材料によって各部が一体に形成されて成り、図４に示すように、最大の面積を有する略矩形状の開閉面部１１１と、該開閉面部１１１の右側縁から上方へ突出された側部１１２と、該側部１１２の長手方向における両端部を除く部分から左方へ突出された係合片部１１３と、側部１１２の長手方向における一端部から左方へ突出された支持面部１１４とを有している。
【００３３】
側部１１２には作用孔１１２ａが形成されている。
【００３４】
支持面部１１４の先端部にはバネ掛け孔１１４ａが形成されている。支持面部１１４の下面には一方向に長いロックレバー１１５が回動自在に支持され、該ロックレバー１１５は長手方向における略中央部が回動支点とされ、長手方向における一端部が被押圧部１１５ａとして形成され、長手方向における他端部に下方へ突出された係合突部１１５ｂが設けられている。ロックレバー１１５は、図示しない付勢バネによって被押圧部１１５ａが側部１１２の作用孔１１２ａから突出される方向へ付勢されている。
【００３５】
シャッター１１０は開閉面部１１１がスライド用凹部１０１ｇに支持され、側部１１２が側面１０１ｃに支持され、係合片部１１３が側面１０１ｃに形成された係合溝１０１ｅに摺動自在に係合され、ケース体１０１にスライド自在に支持される。シャッター１１０がケース体１０１に支持された状態において、支持面部１１４のバネ掛け孔１１４ａにトグルバネ１０９の第２の腕部１０９ｃが係合される。
【００３６】
シャッター１１０は開閉面部１１１が光透過孔１０１ｈを閉塞する閉塞位置と光透過孔１０１ｈを開放する開放位置との間でケース体１０１に対してスライドされる。
【００３７】
シャッター１１０が閉塞位置にある状態においては、トグルバネ１０９によってシャッター１１０が上記挿入方向、即ち、図２に示すＡ方向へ付勢され、シャッター１１０が閉塞位置に保持される。このときシャッター１１０の支持面部１１４に支持されたロックレバー１１５は付勢バネの付勢力によって係合突部１１５ｂがロック用突部１０８に係合され（図５参照）、シャッター１１０が閉塞位置にロックされている。ロックレバー１１５の被押圧部１１５ａは、側部１１２に形成された作用孔１１２ａ内に位置されている。
【００３８】
逆に、シャッター１１０が開放位置にある状態においては、トグルバネ１０９によってシャッター１１０が上記挿入方向と逆方向、即ち、図２に示すＢ方向へ付勢され、シャッター１１０が開放位置に保持される。
【００３９】
ケース体１０１の内部に収納された記録媒体２００の中心部には、磁性金属材料から成るコア２０１が取り付けられ（図２参照）、該コア２０１はケース体１０１のテーブル挿入孔１０１ｆに対応して位置されている。
【００４０】
次に、電子機器について説明する。
【００４１】
電子機器（ゲーム機器）１は、例えば、扁平な横長の形状に形成され（図６乃至図８参照）、外筐２内に所要の各部が配置されて成る。
【００４２】
外筐２の前面２ａの中央部には表示部３が配置され、前面２ａの左右両端部にはそれぞれ複数の操作釦（コントロールキー）４、４、・・・が配置されている（図６参照）。外筐２の後面２ｂの左右方向における中央部は蓋部５として設けられ、開閉可能とされている（図７及び図８参照）。蓋部５は、例えば、その下端部を支点として回動することにより開閉される。
【００４３】
外筐２の内部には記録媒体ドライブ装置６が設けられている（図９及び図１０参照）。記録媒体ドライブ装置６はシャーシ７と該シャーシ７に配置された所要の各部とシャーシ７に回動自在に支持されたホルダー８と駆動回路を含む各種の回路とによって構成されている。
【００４４】
尚、以下の記録媒体ドライブ装置６の説明にあっては、便宜上、ホルダー８に記録媒体カートリッジ１００を挿入する方向を後方、挿入された記録媒体カートリッジ１００をホルダー８から取り出す方向を前方、ホルダー８の位置を上、シャーシ７の位置を下として説明する。
【００４５】
シャーシ７は、例えば、板状の金属材料によって各部が一体に形成されて成り、略正方形状に形成されたベース部９と該ベース部９の後端部の左右両側縁からそれぞれ上方へ突出された支持突部１０、１０とを有している。
【００４６】
ベース部９の中央部にはテーブル配置孔９ａが形成され、その右方にピックアップ配置孔９ｂがテーブル配置孔９ａに連続して形成されている。ベース部９の後端部にはモーター配置孔９ｃが形成されている。
【００４７】
ベース部９上には前後左右に離隔して４つの受け台部１１、１１、１２、１２が設けられている。前方に位置する２つの受け台部１１、１１上には位置決めピン１３、１３が設けられ、該位置決めピン１３、１３の外径は受け台部１１、１１の外径より小さくされている。
【００４８】
ベース部９の略４隅の位置にはそれぞれダンパー取付部１４、１４、・・・が形成されている。ダンパー取付部１４、１４、・・・は、それぞれ段差１５、１５、・・・によってベース部９の他の部分より１段低い位置に形成されている。ダンパー取付部１４、１４、・・・には、それぞれ取付用切欠１４ａ、１４ａ、・・・が形成され、該取付用切欠１４ａ、１４ａ、・・・はそれぞれ側方に開口されている。
【００４９】
ベース部９のテーブル配置孔９ａにはディスクテーブル１６が配置される。ディスクテーブル１６はテーブル部１６ａと該テーブル部１６ａの中央部に設けられたセンターリング突部１６ｂとを有し、図示しないスピンドルモーターのモーター軸に固定されている。センターリング突部１６ｂには図示しないマグネットが設けられている。スピンドルモーターはこれに取り付けられた基板１７がテーブル配置孔９ａの開口縁に取り付けられることによりベース部９に固定され、ディスクテーブル１６はテーブル配置孔９ａから上方へ突出された状態で配置される。ディスクテーブル１６はスピンドルモーターの回転に伴って回転される。
【００５０】
ベース部９のピックアップ配置孔９ｂには光ピックアップ１８が配置される。光ピックアップ１８、上記ディスクテーブル１６及びスピンドルモーターは記録媒体カートリッジ１００の記録媒体２００に対して情報信号の記録若しくは再生又はこれらの双方を行う記録再生部を構成する。
【００５１】
光ピックアップ１８は移動ベース１９と該移動ベース１９上に支持された対物レンズ駆動装置２０とを有している。移動ベース１９には軸受部１９ａ、１９ｂが設けられ、軸受部１９ａにリードスクリュー２１が挿通されて螺合され、軸受部１９ｂがガイド軸２２に支持されている。リードスクリュー２１の先端部にはウォーム２３が固定されている。
【００５２】
光ピックアップ１８は、リードスクリュー２１がベース部９の下面側において回転自在に支持されると共にガイド軸２２がベース部９の下面側において固定されることにより、ピックアップ配置孔９ｂに配置され、該ピックアップ配置孔９ｂ内においてリードスクリュー２１の回転によってガイド軸２２に案内されて移動可能とされる。
【００５３】
ベース部９のモーター配置孔９ｃには駆動モーター２４が配置される。駆動モーター２４にはそれぞれ側方へ突出された被取付部２５、２５が設けられ、駆動モーター２４の下面側にはそのモーター軸に固定された駆動ギヤ２６が配置されている。駆動モーター２４にはフレキシブルプリント配線板２７が接続され、該フレキシブルプリント配線板２７を介して図示しない駆動回路から駆動モーター２４に駆動電流が供給される。
【００５４】
駆動モーター２４は被取付部２５、２５がモーター配置孔９ｃの開口縁に取り付けられることによりモーター配置孔９ｃに配置される。
【００５５】
ベース部９の下面側には支持軸２８を介して伝達ギヤ２９が支持される。伝達ギヤ２９は駆動ギヤ２６及びリードスクリュー２１に固定されたウォーム２３に噛合されている。従って、駆動モーター２４の駆動力が駆動ギヤ２６、伝達ギヤ２９及びウォーム２３を介してリードスクリュー２１に伝達され、駆動モーター２４の回転方向に応じた方向へ光ピックアップ１８が移動される。
【００５６】
シャーシ７の支持突部１０、１０には、それぞれ側方へ突出された支持軸１０ａ、１０ａが設けられている。
【００５７】
ホルダー８は、例えば、板状の金属材料によって各部が一体に形成されて成り、図９及び図１１に示すように、略正方形状に形成された連結面部３０と、該連結面部３０の左右両側縁からそれぞれ垂設された側面部３１、３２と、該側面部３１、３２の下縁から互いに近付く方向へ突出された突出面部３３、３４と、該突出面部３３、３４の前縁からそれぞれ垂設された受け面部３５、３５とから成る。左側に位置する突出面部３３は側面部３１の前端から前後方向における中央部に亘る位置に設けられ、右側に位置する突出面部３４は側面部３２の前端側の位置のみに設けられている。
【００５８】
ホルダー８の前端には連結面部３０、側面部３１、３２及び突出面部３３、３４によって囲まれた空間が形成され、この空間が記録媒体カートリッジ１００が挿入される挿入口３６とされている。
【００５９】
ホルダー８の連結面部３０の中央には開口３０ａが形成されている。開口３０ａはホルダー８の軽量化等を図るために形成されている。連結面部３０の略４隅の位置には、それぞれ挿入孔３０ｂ、３０ｂ、・・・が形成されている。連結面部３０には、その一部が切り起こされることにより、複数の押さえバネ部３０ｃ、３０ｃ、・・・が設けられている。押さえバネ部３０ｃ、３０ｃ、・・・は、記録媒体カートリッジ１００がホルダー８に保持された状態において記録媒体カートリッジ１００のケース体１０１を受け台部１１、１１、１２、１２に押し付ける役割、又は、外筐２の蓋部５が開放された状態においてホルダー８と蓋部５と間の一定距離を保つことにより記録媒体カートリッジ１００のホルダー８に対する挿入及び取出を行い易くする役割を果たす。
【００６０】
連結面部３０には突出面部３３、３４側に開口された凹状の凹状補強リブ３７、３７、・・・が形成されている（図１１及び図１２参照）。凹状補強リブ３７、３７、・・・は少なくとも開口３０ａの開口縁以外の部分に形成され、連結面部３０の左右方向における中央部で開口３０ａの前側の部分３０ｄには形成されていない。従って、連結面部３０の左右方向における中央部で開口３０ａの前側の部分３０ｄは、平面に形成されている。
【００６１】
連結面部３０の開口３０ａの開口縁には突出面部３３、３４の反対側に打ち出された開口側補強リブ３８が形成されている。
【００６２】
連結面部３０の前縁には、突出面部３３、３４の反対側に屈曲されて傾斜された兼用補強リブ３０ｅが形成されている。
【００６３】
ホルダー８の側面部３１、３２の後端部には、それぞれ被支持孔３１ａ、３２ａが形成されている。
【００６４】
側面部３１、３２には、その前端部が互いに離隔する方向へ折り曲げられることにより、それぞれ挿入案内部３１ｂ、３２ｂが設けられている。
【００６５】
左側の側面部３１の前端寄りの位置には突部挿通孔３１ｃが形成されている（図９参照）。
【００６６】
側面部３１の外面には飛出防止用バネ３９が取り付けられている（図９乃至図１１参照）。飛出防止用バネ３９は前後に長いバネ部３９ａと該バネ部３９ａの前端部の下縁から右方へ突出された係合突部３９ｂとから成る。係合突部３９ｂは右方に凸の三角形状に形成され、後方へ行くに従って右方へ変位する第１の傾斜縁３９ｃと前方へ行くに従って右方へ変位する第２の傾斜縁３９ｄとが前後で連続して形成されている。
【００６７】
飛出防止用バネ３９は、その後端部が側面部３１の外面に取り付けられ、係合突部３９ｂが突部挿通孔３１ｃからホルダー８の内部へ突出される。
【００６８】
右側の側面部３２には、その前端寄りの位置に突片挿通孔３２ｃが形成されている。側面部３２には、突片挿通孔３２ｃの後側の位置に内方へ折り曲げられて形成されたシャッター開放片３２ｄが設けられ、該シャッター開放片３２ｄの後側の位置に内方へ折り曲げられて形成された姿勢保持片３２ｅが設けられている。シャッター開放片３２ｄ及び姿勢保持片３２ｅは、何れも前後に長い舌片状に形成されている。
【００６９】
側面部３２の外面にはシャッター用バネ４０が取り付けられる（図９及び図１１参照）。シャッター用バネ４０は前後に長いバネ部４１と該バネ部４１の前端部の下縁から左方へ突出されたロック解除用突片４２とから成る。ロック解除用突片４２は左方に凸の三角形状に形成され、後方へ行くに従って左方へ変位する第１の傾斜縁４２ａと前方へ行くに従って左方へ変位する第２の傾斜縁４２ｂとが前後で連続して形成されている。
【００７０】
突出面部３３、３４は連結面部３０に対向して位置され、対向面部として機能する。
【００７１】
シャッター用バネ４０は、その後端部が側面部３２の外面に取り付けられ、ロック解除用突片４２が突片挿通孔３２ｃからホルダー８の内部へ突出される。
【００７２】
ホルダー８の突出面部３３、３４には、それぞれ挿入孔３３ａ、３４ａが形成されている。挿入孔３３ａ、３４ａはそれぞれ連結面部３０の前端部に形成された挿入孔３０ｂ、３０ｂの真下の位置に形成されている。
【００７３】
突出面部３３、３４には、その内側の端部にそれぞれ取付凹部３３ｂ、３４ｂが形成され、該取付凹部３３ｂ、３４ｂは他の部分より一段低くされている。突出面部３３、３４には、その前端部にそれぞれ突部挿通孔３３ｃ、３４ｃが形成されている。
【００７４】
突出面部３３、３４の上面間には飛出防止部４３が取り付けられている。飛出防止部４３は左右方向に長く形成され、その両端部が、例えば、加締めによって取付凹部３３ｂ、３４ｂに上側から取り付けられている。
【００７５】
上記のように、飛出防止部４３を突出面部３３、３４の上側に取り付けることにより、飛出防止部４３のホルダー８からの脱落を防止することができる。
【００７６】
尚、飛出防止部４３はホルダー８に一体に形成することも可能である。飛出防止部４３をホルダー８に一体に形成することにより、部品点数の削減及び製造コストの低減を図ることができる。
【００７７】
飛出防止部４３の左右両端部を除く前端側の部分は第１の案内部４３ａと第２の案内部４３ｂとによって構成されている。第１の案内部４３ａは、図１３に示すように、前方へ行くに従って下方へ変位するように傾斜され、第２の案内部４３ｂは第１の案内部４３ａの下端に連続され水平な平面に形成されている。
【００７８】
飛出防止部４３が突出面部３３、３４間に取り付けられた状態においては、図１３に示すように、飛出防止部４３の左右両端部の上面と突出面部３３、３４の上面とが略同一平面上に位置され、飛出防止部４３の第２の案内部４３ｂの上面が突出面部３３、３４の上面より下方に位置される。
【００７９】
ホルダー８の受け面部３５、３５の上端部は、それぞれ上方へ行くに従って後方へ変位するように傾斜された誘導面部３５ａ、３５ａとして形成されている（図１１参照）。ホルダー８の受け面部３５、３５の内側の端部は後方側に屈曲され緩やかな曲面又は平面を為す受部３５ｂ、３５ｂとして形成されている。受部３５ｂ、３５ｂは後方へ行くに従って互いに近付くように変位されている。
【００８０】
受部３５ｂ、３５ｂと突出面部３３、３４との連続部分は、それぞれ平面状又は曲面状を為し後方へ行くに従って互いに近付くように変位されたガイド面部４４、４４として形成されている。
【００８１】
ホルダー８は、側面部３１、３２の後端部に形成された被支持孔３１ａ、３２ａにそれぞれシャーシ７の後端部に設けられた支持突部１０、１０の支持軸１０ａ、１０ａが挿入され、該支持軸１０ａ、１０ａを支点としてシャーシ７に回動自在に支持される。
【００８２】
ホルダー８がシャーシ７に支持された状態においては、飛出防止部４３は光ピックアップ１８やディスクテーブル１６等によって構成された記録再生部の直ぐ前側、即ち、挿入口３６と記録再生部との間に位置される（図１４参照）。また、ホルダー８の連結面部３０又は突出面部３３、３４に形成された挿入孔３０ｂ、３０ｂ、・・・、３３ａ、３４ａが、それぞれシャーシ７のダンパー取付部１４、１４、・・・の真上に位置される（図１５参照）。
【００８３】
シャーシ７のダンパー取付部１４、１４、・・・にはそれぞれダンパー４５、４５、・・・が取り付けられる。ダンパー４５は、図１６に示すように、例えば、ゴム材料によって軸方向に短い略円筒状に形成され、軸方向における中央部に周方向に延びる被取付凹溝４５ａを有している。ダンパー４５の中心孔はネジ挿通孔４５ｂとして形成されている。
【００８４】
ダンパー４５、４５、・・・はダンパー取付部１４、１４、・・・に側方から挿入され（図１６参照）、被取付凹溝４５ａ、４５ａ、・・・にそれぞれダンパー取付部１４、１４、・・・の一部が嵌合され、ネジ挿通孔４５ｂ、４５ｂ、・・・に上方からそれぞれ取付ネジ４６、４６、・・・が挿入され（図１７参照）、該取付ネジ４６、４６、・・・が、例えば、外筐２の内部に固定され又は外筐２の一部を為す図示しない取付ベースに螺合される。このときホルダー８には連結面部３０に挿入孔３０ｂ、３０ｂ、・・・が形成され突出面部３３、３４には挿入孔３３ａ、３４ａが形成されているため、シャーシ７にホルダー８が支持された状態のまま、ドライバー等の取付用治具４７をこれらの挿入孔３０ｂ、３０ｂ、・・・、３３ａ、３４ａに挿入して取付ネジ４６、４６、・・・を取付ベースに螺合することができる。
【００８５】
このように記録媒体ドライブ装置６にあっては、ホルダー８に取付用治具４７を挿入するための挿入孔３０ｂ、３０ｂ、・・・、３３ａ、３４ａを形成しているため、ホルダー８がシャーシ７に支持された状態のまま取付ネジ４６、４６、・・・を取付ベースに螺合することが可能となり、シャーシ７をダンパー４５、４５、・・・を介して取付ベースに取り付ける取付作業における作業性の向上を図ることができる。
【００８６】
また、上記したように、ダンパー取付部１４、１４、・・・はシャーシ７から側方へ突出しておらず、ホルダー８の連結面部３０の外形内に対応して位置されるため、その分、記録媒体ドライブ装置６及び電子機器１の小型化を図ることができる。
【００８７】
取付ネジ４６、４６、・・・が取付ベースに螺合された状態においては、シャーシ７はダンパー４５、４５、・・・によって取付ベースにフローティング支持され、取付ベースからシャーシ７への振動が吸収され、記録再生部による良好な記録再生動作が行われる。
【００８８】
以下に、記録媒体カートリッジ１００がホルダー８に挿入されるとき及び記録媒体カートリッジ１００がホルダー８から取り出されるときの動作について説明する。
【００８９】
記録媒体カートリッジ１００がホルダー８に挿入される前の状態においては、シャッター１１０のロックレバー１１５の係合突部１１５ｂがケース体１０１の機構配置部１０６に設けられたロック用突部１０８に係合され（図５参照）、シャッター１１０が光透過孔１０１ｈを閉塞する閉塞位置にロックされている。
【００９０】
電子機器１の蓋部５を開放すると、同時にホルダー８がシャーシ７に対して回動され記録媒体カートリッジ１００の挿入が可能な状態となる（図８参照）。
【００９１】
ホルダー８に対する記録媒体カートリッジ１００の挿入の開始時に、例えば、図１８に示すように、記録媒体カートリッジ１００がホルダー８に対して稍上側にずれた状態とされた場合には、連結面部３０の前端部に形成された兼用補強リブ３０ｅにケース体１０１の周縁が摺接され、記録媒体カートリッジ１００がホルダー８内に案内されていく。従って、ホルダー８内に記録媒体カートリッジ１００を円滑に挿入することができる。
【００９２】
また、ホルダー８に対する記録媒体カートリッジ１００の挿入の開始時に、例えば、図１９に示すように、記録媒体カートリッジ１００がホルダー８に対して稍下側にずれた状態とされた場合には、受け面部３５、３５の上端部に形成された誘導面部３５ａ、３５ａ又はガイド面部４４、４４にケース体１０１の周縁が摺接され、記録媒体カートリッジ１００がホルダー８内に案内されていく。従って、ホルダー８内に記録媒体カートリッジ１００を円滑に挿入することができる。
【００９３】
尚、ホルダー８に対する記録媒体カートリッジ１００の挿入の開始時に、記録媒体カートリッジ１００がホルダー８に対してさらに下側にずれた状態とされた場合には、図２０に示すように、受け面部３５、３５の内側の端部に形成された受部３５ｂ、３５ｂにケース体１０１の円弧面１０１ａが接し、記録媒体カートリッジ１００はホルダー８内に挿入されない。
【００９４】
従って、ユーザーはホルダー８に対して記録媒体カートリッジ１００が誤挿入されたことを認識することができ、また、受部３５ｂ、３５ｂが後方側に屈曲された緩やかな曲面に形成されているため、受け面部３５、３５及びケース体１０１の破損や傷付きを防止することができる。
【００９５】
さらに、ホルダー８に対する記録媒体カートリッジ１００の挿入の開始時に、例えば、図２１に示すように、記録媒体カートリッジ１００がホルダー８に対して左右方向にずれた状態又は左右方向に傾いた状態とされた場合には、側面部３１、３２の前端部に形成された挿入案内部３１ｂ、３２ｂにケース体１０１の円弧面１０１ａが摺接され、記録媒体カートリッジ１００がホルダー８内に案内されていく。
【００９６】
尚、ホルダー８の側面部３１、３２に挿入案内部３１ｂ、３２ｂが設けられていない場合でも、ホルダー８に対する記録媒体カートリッジ１００の挿入の開始時に、記録媒体カートリッジ１００がホルダー８に対して左右方向にずれた状態又は左右方向に傾いた状態とされたときに、記録媒体カートリッジ１００が側部１１２、１１２の前縁に摺接されるため、記録媒体カートリッジ１００がホルダー８内に案内されていく。
【００９７】
上記のようにして記録媒体カートリッジ１００は円弧面１０１ａ側からホルダー８内に挿入されていくが、突出面部３３、３４間に空間が存在すると共にケース体１０１が円弧面１０１ａを有する形状とされているため、図２２に示すように、記録媒体カートリッジ１００がホルダー８に対して稍後下がりの状態で傾斜する場合がある。
【００９８】
しかしながら、記録媒体カートリッジ１００は突出面部３３、３４間に架け渡された飛出防止部４３に接することにより、ホルダー８の下方への飛出が防止される。
【００９９】
また、飛出防止部４３は、上記したように、光ピックアップ１８やディスクテーブル１６等によって構成された記録再生部の直ぐ前側に配置されているため、ケース体１０１と記録再生部との接触が回避され、記録再生部による記録再生動作の信頼性の向上を図ることができる。
【０１００】
さらに、飛出防止部４３はホルダー８の側面部３１、３２間の略中央部に設けられているため、ケース体１０１の最も下方へ飛び出し易い部分、即ち、左右方向における中央部が飛出防止部４３に接し、記録媒体カートリッジ１００の突出面部３３、３４間からの下方への飛出を確実に防止することができる。
【０１０１】
記録媒体カートリッジ１００がホルダー８内に挿入され飛出防止部４３に接したときには、ケース体１０１が飛出防止部４３の第２の案内部４３ｂ及び第１の案内部４３ａと順に摺接して後方側へ案内される（図２３参照）。従って、ケース体１０１の飛出防止部４３への接触により、記録媒体カートリッジ１００のホルダー８内での円滑な移動が阻害されることがなく、ホルダー８に対する記録媒体カートリッジ１００の挿入を適正かつ確実に行うことができる。
【０１０２】
一方、上記とは逆に、記録媒体カートリッジ１００はホルダー８への挿入時に、図２４に示すように、稍後上がりの状態で傾斜する場合がある。このときケース体１０１の円弧面１０１ａの上側の端縁が連結面部３０の左右方向における中央部の下面、即ち、部分３０ｄの下面と摺接するが、部分３０ｄには凹状補強リブ３７が形成されていない。
【０１０３】
従って、ケース体１０１の上側の端縁が凹状補強リブ３７に入り込んで記録媒体カートリッジ１００のホルダー８内での円滑な移動が阻害されることがなく、ホルダー８の一定以上の強度を維持しつつ、ホルダー８に対する記録媒体カートリッジ１００の挿入を適正かつ確実に行うことができる。
【０１０４】
また、連結面部３０の開口３０ａの開口縁に形成された開口側補強リブ３８は、突出面部３３、３４の反対側に打ち出されて形成されているため、ケース体１０１の上側の端縁が開口側補強リブ３８に接触せず（図２５参照）、記録媒体カートリッジ１００のホルダー８内での円滑な移動を確保することができる。
【０１０５】
さらに記録媒体カートリッジ１００がホルダー８内に挿入されていくと、ホルダー８の側面部３２に設けられたシャッター開放片３２ｄが記録媒体カートリッジ１００の挿入溝１０５に挿入されていく。このときホルダー８の側面部３２に取り付けられたシャッター用バネ４０のロック解除用突片４２が、シャッター１１０の側部１１２の外面に乗り上げて該側部１１２上を摺動される（図２６参照）。従って、シャッター用バネ４０はバネ部４１が弾性変形される。
【０１０６】
記録媒体カートリッジ１００がさらにホルダー８内に挿入されていくと、シャッター開放片３２ｄがシャッター１１０の側部１１２の後縁に接する（図２７参照）。同時に、シャッター１１０の側部１１２上に乗り上げられていたロック解除用突片４２が、バネ部４１が弾性復帰することにより作用孔１１２ａに挿入される。
【０１０７】
ロック解除用突片４２が作用孔１１２ａに挿入されると、ロック解除用突片４２によってロックレバー１１５の被押圧部１１５ａが押圧され、付勢バネの付勢力に抗してロックレバー１１５が回動される。従って、係合突部１１５ｂのロック用突部１０８への係合が解除され、シャッター１１０の閉塞位置におけるロックが解除される。
【０１０８】
このときケース体１０１に形成された挿入溝１０５には、シャッター開放片３２ｄの他に、その後方に設けられた姿勢保持片３２ｅも挿入される（図２８参照）。
【０１０９】
従って、シャッター開放片３２ｄと姿勢保持片３２ｅによってホルダー８内において記録媒体カートリッジ１００の姿勢が水平に保持され、記録媒体カートリッジ１００の適正な挿入状態を確保することができる。
【０１１０】
また、シャッター開放片３２ｄはシャッター１１０を開放する機能の他、ホルダー８内における記録媒体カートリッジ１００の姿勢を保持する手段としても機能するため、部品点数の削減を図りつつ機能性の向上を図ることができる。
【０１１１】
シャッター１１０の閉塞位置におけるロックが解除されたときには、シャッター開放片３２ｄが側部１１２の後縁に接しているため、これによりさらにホルダー８内に記録媒体カートリッジ１００が挿入されていくと、シャッター１１０がケース体１０１に対して相対的に前方へ移動され、シャッター１１０が開放されていく（図２９参照）。
【０１１２】
尚、記録媒体カートリッジ１００がホルダー８の内部に挿入されていくときには、飛出防止用バネ３９の係合突部３９ｂが側面１０１ｂに形成された係合凹部１０１ｊに一時的に挿入されるが、記録媒体カートリッジ１００の後方への移動により係合凹部１０１ｊの前側の開口縁が係合突部３９ｂの第１の傾斜縁３９ｃと摺接し、バネ部３９ａが外方へ撓みながら係合突部３９ｂが係合凹部１０１ｊから取り出される。
【０１１３】
記録媒体カートリッジ１００のホルダー８への挿入が終了した状態においては、シャッター１１０が開放位置まで移動されており、上記したように、トグルバネ１０９によってシャッター１１０が上記挿入方向と逆方向へ付勢され、シャッター１１０が開放位置に保持される（図３０参照）。
【０１１４】
記録媒体カートリッジ１００のホルダー８への挿入が終了した状態においては、飛出防止用バネ３９の係合突部３９ｂが側面１０１ｂに形成された逃げ凹部１０１ｋに挿入される（図３１参照）。従って、飛出防止用バネ３９の付勢力が記録媒体カートリッジ１００のケース体１０１に付与されず、飛出防止用バネ３９からの記録媒体カートリッジ１００に対する不必要なテンションを防止することができる。
【０１１５】
記録媒体カートリッジ１００のホルダー８への挿入が終了し、外筐２の蓋部５が閉塞されると、記録媒体カートリッジ１００を保持したホルダー８がシャーシ７に近付く方向へ回動され、ケース体１０１に形成された位置決め穴１０１ｉ、１０１ｉにそれぞれシャーシ７に設けられた位置決めピン１３、１３が挿入され（図３２参照）、記録媒体カートリッジ１００のシャーシ７に対する位置決めが行われる。このときケース体１０１のテーブル挿入孔１０１ｆにはディスクテーブル１６が挿入され、センターリング突部１６ｂに設けられたマグネットに記録媒体２００のコア２０１が吸着され記録媒体２００がディスクテーブル１６に装着される。
【０１１６】
記録媒体カートリッジ１００は、ホルダー８の連結面部３０に設けられた押さえバネ部３０ｃ、３０ｃ、・・・によってケース体１０１がシャーシ７側へ押し付けられ、ケース体１０１の下面がシャーシ７に設けられた受け台部１１、１１、１２、１２に接した状態で保持される。
【０１１７】
ディスクテーブル１６に装着されたディスク状記録媒体１００は、ディスクテーブル１６に伴って回転され、光ピックアップ１８の駆動によりディスク状記録媒体１００に対する情報信号の記録又は再生が行われる。
【０１１８】
ディスク状記録媒体１００に対する情報信号の記録又は再生が終了し、再び、蓋部５が開放されると、ホルダー８がシャーシ７から離隔する側へ回動されディスクテーブル１６への記録媒体２００の装着が解除される。このときケース体１０１の円弧面１０１ａがシャーシ７に支持された図示しないイジェクトレバーによって押圧され、記録媒体カートリッジ１００の一部がホルダー８から手前側に突出される。このとき、シャッター１１０は作用孔１１２ａにシャッター用バネ４０のロック解除用突片４２が挿入されているため、記録媒体カートリッジ１００の一部がホルダー８から手前側へ突出されることによりケース体１０１がシャッター１１０に対して前方へ移動され、シャッター１１０が開放位置から閉塞位置まで移動される。
【０１１９】
尚、上記のように、蓋部５が開放され記録媒体カートリッジ１００がイジェクトレバーによって押圧されてホルダー８から手前側に突出されるときには、記録媒体カートリッジ１００の前方への移動により飛出防止用バネ３９のバネ部３９ａが弾性変形されて側面１０１ｂに形成された逃げ凹部１０１ｋから係合突部３９ｂが取り出され、その後、係合突部３９ｂが側面１０１ｂに形成された係合凹部１０１ｊに対応して位置されたときに、係合凹部１０１ｊに係合突部３９ｂが係合される（図３３参照）。
【０１２０】
係合凹部１０１ｊに係合突部３９ｂが係合された状態においては、既に、記録媒体カートリッジ１００に対するイジェクトレバーからの押圧力が付与されておらず、記録媒体カートリッジ１００は係合凹部１０１ｊに係合突部３９ｂが係合されることにより前方への移動が停止される。
【０１２１】
従って、記録媒体カートリッジ１００はホルダー８から一部のみが突出された状態とされ、記録媒体カートリッジ１００のホルダー８からの必要以上の飛出が防止される。
【０１２２】
ユーザーはホルダー８から突出された部分を把持して引き抜くことにより、記録媒体カートリッジ１００をホルダー８から取り出すことができる。このとき、ロック解除用突片４２が作用孔１１２ａから引き出されることにより、ロックレバー１１５が付勢バネの付勢力によって回動され、係合突部１１５ｂがロック用突部１０８に係合されてシャッター１１０が再び閉塞位置にロックされる。
【０１２３】
また、飛出防止用バネ３９の第２の傾斜縁３９ｄが係合凹部１０１ｊの開口縁と摺接し、さらに、係合突部３９ｂが側面１０１ｂと摺接して記録媒体カートリッジ１００がホルダー８から取り出される。
【０１２４】
以下に、記録媒体カートリッジ１００のホルダー８への誤挿入を防止する手段について説明する（図３４乃至図３６参照）。
【０１２５】
先ず、記録媒体カートリッジ１００が上下のみ反対向きの状態、即ち、アッパーシェル１０２が下方に位置しロアーシェル１０３が上方に位置する状態で、かつ、円弧面１０１ａ側からホルダー８に挿入されたときの誤挿入を防止する手段について説明する（図３４参照）。
【０１２６】
記録媒体カートリッジ１００が上下のみ反対向きの状態でホルダー８に挿入されると、円弧面１０１ａに形成された機能拡張用溝１０４の開口縁にシャッター開放片３２ｄが接触し、これ以上の記録媒体カートリッジ１００のホルダー８内への挿入が規制される。
【０１２７】
このように記録媒体ドライブ装置６にあっては、記録媒体カートリッジ１００のシャッター１１０を開放するためのシャッター開放片３２ｄを、誤挿入を防止するための手段として用いているため、誤挿入を防止するための別の専用の手段を設ける必要がなく、製造コストの低減を図ることができる。
【０１２８】
また、機能の拡張を図ることが可能な機能拡張用溝１０４を用いて記録媒体カートリッジ１００の誤挿入を防止しているため、記録媒体カートリッジ１００の誤挿入を防止するための専用の溝を記録媒体カートリッジ１００に形成する必要がなく、その分、記録媒体カートリッジ１００の製造コストの低減を図ることができる。
【０１２９】
次に、記録媒体カートリッジ１００が前後反対向きの状態、即ち、曲面１０１ｄ側からホルダー８に挿入されたときの誤挿入を防止する手段について説明する（図３５参照）。尚、この場合に、上下の向きは不問である。
【０１３０】
記録媒体カートリッジ１００が前後反対向きの状態でホルダー８に挿入されると、曲面１０１ｄの一端部がシャッター開放片３２ｄに接触し、これ以上の記録媒体カートリッジ１００のホルダー８内への挿入が規制される。
【０１３１】
次に、記録媒体カートリッジ１００が横向きの状態、即ち、円弧面１０１ａと曲面１０１ｄが左右に位置した状態でホルダー８に挿入されたときの誤挿入を防止する手段について説明する（図３６参照）。尚、この場合に、上下の向きは不問である。
【０１３２】
記録媒体カートリッジ１００を横向きの状態でホルダー８に挿入しようとしても、上記したように、ケース体１０１の挿入方向に直交する方向における長さＨに対して挿入方向における長さＬが稍長く形成されているため（図１参照）、長さＬと長さＨの相違によりホルダー８に挿入されない。
【０１３３】
次に、記録媒体カートリッジの変形例について説明する（図３７乃至図４２参照）。
【０１３４】
この変形例に係る記録媒体カートリッジ３００は、上記した記録媒体カートリッジ１００と比較して、シャッターが設けられていないこと、右側の側面の形状が異なること及び下面の形状が異なることのみが相違するため、記録媒体カートリッジ１００と比較して異なる部分についてのみ詳細に説明をし、その他の部分については記録媒体カートリッジ１００における同様の部分に付した符号と同じ符号を付して詳細な説明は省略する。
【０１３５】
記録媒体カートリッジ３００は扁平なケース体３０１内にディスク状の記録媒体４００が回転可能に収納されて成る（図３７及び図３８参照）。
【０１３６】
ケース体３０１はアッパーシェル３０２とロアーシェル３０３とが上下で結合されて成る。ケース体３０１は挿入方向（図３７に示すＡ方向）における半部が略半円形状に形成され、その周面が円弧状に形成された円弧面３０１ａとして形成されている。ケース体３０１の上記挿入方向と反対方向（図３７に示すＢ方向）における半部は横長の形状に形成され、円弧面３０１ａの両端に連続する面がそれぞれ挿入方向に延びる側面３０１ｂ、３０１ｃとして形成されている。側面３０１ｂと側面３０１ｃの挿入方向と反対方向における端部間の周面は、緩やかな凸曲面を為す曲面３０１ｄとして形成されている。
【０１３７】
ケース体３０１の円弧面３０１ａには、左側の側面３０１ｂに寄った位置に機能拡張用溝３０４が形成されている。機能拡張用溝３０４の側面３０１ｂ側の開口縁３０４ａは円弧面３０１ａと側面３０１ｂの連続部分に位置されている。
【０１３８】
ケース体３０１には、図３８に示すように、その下面の中央部にテーブル挿入孔３０１ｆが形成され、下面のテーブル挿入孔３０１ｆの右方には光透過孔３０１ｈが形成されている。光透過孔３０１ｈは、上記記録媒体カートリッジ１００における光透過孔１０１ｈより大きくされている。
【０１３９】
ケース体３０１の下面には、曲面３０１ｄの近傍の位置に左右に離隔して位置決め穴３０１ｉ、３０１ｉが形成されている。
【０１４０】
左側の側面３０１ｂの上記挿入方向における略中央部には、係合凹部３０１ｊが形成されている。側面３０１ｂの挿入方向と反対方向における端部には、逃げ凹部３０１ｋが形成されている。
【０１４１】
右側の側面３０１ｃには、挿入方向と反対側において光透過孔３０１ｈに連続した位置に、側方に開口された逃げ溝３０１ｌが形成されている（図３９参照）。
【０１４２】
光透過孔３０１ｈの開口縁のうち、上記挿入方向側の端部は、光透過孔３０１ｈに近付くに従ってアッパーシェル３０２側に変位する傾斜部３０１ｍとして形成されている（図３８及び図３９参照）。
【０１４３】
ケース体３０１には、右側の側面３０１ｃから円弧面３０１ａに亘る部分に、逃げ溝３０１ｌに連続して挿入溝３０５が形成されている。挿入溝３０５は光透過孔３０１ｈに連通されている。
【０１４４】
ケース体３０１の内部に収納された記録媒体４００の中心部には、磁性金属材料から成るコア４０１が取り付けられ（図３８参照）、該コア４０１はケース体３０１のテーブル挿入孔３０１ｆに対応して位置されている。
【０１４５】
以下に、記録媒体カートリッジ３００がホルダー８に挿入されるとき及び記録媒体カートリッジ３００がホルダー８から取り出されるときの動作について説明する（図４０乃至図４２参照）。
【０１４６】
尚、記録媒体カートリッジ３００についての動作にあっては、記録媒体カートリッジ３００がシャッターを有していないため、シャッターに関連する動作はなく、記録媒体カートリッジ１００についての動作と異なる動作のみについて詳細に説明をする。
【０１４７】
記録媒体カートリッジ３００がホルダー８内に挿入されていくと、ホルダー８の側面部３２に設けられたシャッター開放片３２ｄが記録媒体カートリッジ３００の挿入溝３０５に挿入されていく（図４０参照）。このときホルダー８の側面部３２に取り付けられたシャッター用バネ４０のロック解除用突片４２も挿入溝３０５に挿入される。
【０１４８】
尚、挿入溝３０５には、シャッター開放片３２ｄの他に、その後方に設けられた姿勢保持片３２ｅも挿入される。
【０１４９】
記録媒体カートリッジ３００がホルダー８の内部に挿入されていくときには、記録媒体カートリッジ１００の場合と同様に、飛出防止用バネ３９の係合突部３９ｂが側面３０１ｂに形成された係合凹部３０１ｊに一時的に挿入されるが、記録媒体カートリッジ３００の後方への移動により係合凹部３０１ｊの前側の開口縁が係合突部３９ｂの第１の傾斜縁３９ｃと摺接し、バネ部３９ａが外方へ撓みながら係合突部３９ｂが係合凹部３０１ｊから取り出される。
【０１５０】
記録媒体カートリッジ３００のホルダー８への挿入が終了した状態においては、記録媒体カートリッジ１００の場合と同様に、飛出防止用バネ３９の係合突部３９ｂが側面３０１ｂに形成された逃げ凹部３０１ｋに挿入される。
【０１５１】
このとき同時に、シャッター用バネ４０のロック解除用突部４２が側面３０１ｃに形成された逃げ溝３０１ｌに挿入される（図４１参照）。従って、シャッター用バネ４０の付勢力が記録媒体カートリッジ３００のケース体３０１に付与されず、シャッター用バネ４０からの記録媒体カートリッジ３００に対する不必要なテンションを防止することができる。
【０１５２】
記録媒体カートリッジ３００のホルダー８への挿入が終了し、外筐２の蓋部５が閉塞されると、記録媒体４００がディスクテーブル１６に装着され、ディスクテーブル１６の回転及び光ピックアップ１８の駆動によりディスク状記録媒体３００に対する情報信号の記録又は再生が行われる。
【０１５３】
ディスク状記録媒体３００に対する情報信号の記録又は再生が終了し、再び、蓋部５が開放されると、記録媒体カートリッジ３００がイジェクトレバーによって押圧されてホルダー８から手前側に突出される。このとき、記録媒体カートリッジ３００の前方への移動により飛出防止用バネ３９が弾性変形されて側面３０１ｂに形成された逃げ凹部３０１ｋから係合突部３９ｂが取り出され、その後、係合突部３９ｂが側面３０１ｂに形成された係合凹部３０１ｊに対応して位置されたときに、係合凹部３０１ｊに係合突部３９ｂが係合される。
【０１５４】
また、同時に、記録媒体カートリッジ３００の前方への移動によりシャッター用バネ４０が弾性変形されて側面３０１ｃに形成された逃げ溝３０１ｌからロック解除用突部４２が取り出される。
【０１５５】
ユーザーはホルダー８から突出された部分を把持して引き抜くことにより、記録媒体カートリッジ３００をホルダー８から取り出すことができる。
【０１５６】
以上のように、電子機器１にあっては、シャッター１１０を有する記録媒体カートリッジ１００の他に、シャッターを有さない記録媒体カートリッジ３００を使用することが可能であり、使用者における使い勝手の向上を図ることができる。
【０１５７】
尚、記録媒体カートリッジ３００には、上記したように、光透過孔３０１ｈの開口縁に光透過孔３０１ｈに近付くに従ってアッパーシェル３０２側に変位する傾斜部３０１ｍが形成されている。
【０１５８】
従って、記録媒体カートリッジ３００のホルダー８に対する挿入時及び取出時に、記録媒体カートリッジ３００の厚みとホルダー８の内部空間の上下高さとのクリアランスによって記録媒体カートリッジ３００がホルダー８に対して上下に動いたり傾いたりした場合においても、ホルダー８の突出面部３４や飛出防止部４３の端縁が傾斜部３０１ｍと摺接し（図４２参照）、記録媒体カートリッジ３００のホルダー８に対する円滑な挿入動作及び取出動作を確保することができる。
【０１５９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１６０】
【図１】図２乃至図４２と共に本発明を実施するための最良の形態を示すものであり、本図は記録媒体カートリッジの拡大平面図である。
【図２】記録媒体カートリッジの拡大斜視図である。
【図３】記録媒体カートリッジの背面側を示す拡大斜視図である。
【図４】記録媒体カートリッジの一部を分解して示す拡大斜視図である。
【図５】記録媒体カートリッジの一部を切り欠いて示す拡大斜視図である。
【図６】電子機器の斜視図である。
【図７】電子機器の背面側を示す斜視図である。
【図８】蓋部が開放された状態で示す電子機器の斜視図である。
【図９】記録媒体ドライブ装置の拡大分解斜視図である。
【図１０】記録媒体ドライブ装置の拡大斜視図である。
【図１１】ホルダーの一部を切り欠いて示す記録媒体ドライブ装置の拡大斜視図である。
【図１２】図１０のＸＩＩ−ＸＩＩ線に沿うホルダーの拡大断面図である。
【図１３】飛出防止部を示す拡大断面図である。
【図１４】飛出防止部と記録再生部の位置関係を一部を断面にして示す概略側面図である。
【図１５】ホルダーの挿入孔とシャーシのダンパー取付部との位置関係を示す拡大斜視図である。
【図１６】図１７と共にダンパーの取付手順を示すものであり、本図はダンパー取付部にダンパーを取り付けるときの状態を示す拡大斜視図である。
【図１７】ダンパー取付部に取り付けられたダンパーに取付ネジを挿入してシャーシを固定するときの状態を示す拡大斜視図である。
【図１８】図１９乃至図２５と共に記録媒体カートリッジがホルダーに挿入されるときの各状態を示すものであり、本図は記録媒体カートリッジがホルダーに対して稍上側にずれた状態で挿入される場合を示す概念図である。
【図１９】記録媒体カートリッジがホルダーに対して稍下側にずれた状態で挿入される場合を示す概念図である。
【図２０】記録媒体カートリッジがホルダーの受部に接した場合を示す概念図である。
【図２１】記録媒体カートリッジがホルダーに対して左右方向にずれた状態又は左右方向に傾いた状態で挿入される場合を示す概念図である。
【図２２】記録媒体カートリッジがホルダーに対して稍後下がりに傾斜した状態で挿入された場合を一部を断面にして示す拡大側面図である。
【図２３】図２２に引き続き、記録媒体カートリッジが飛出防止部の案内部に案内されながら挿入されている状態を一部を断面にして示す拡大側面図である。
【図２４】記録媒体カートリッジがホルダーに対して稍後上がりに傾斜した状態で挿入された場合を一部を断面にして示す拡大側面図である。
【図２５】図２４に引き続き、記録媒体カートリッジが挿入されている状態を一部を断面にして示す拡大側面図である。
【図２６】記録媒体カートリッジがホルダーに挿入されシャッター用バネのロック解除用突片がシャッターに乗り上げた状態を一部を断面にして示す拡大平面図である。
【図２７】シャッターの閉塞位置におけるロックが解除された状態を一部を断面にして示す拡大平面図である。
【図２８】シャッター開放片と姿勢保持片がケース体の挿入溝に挿入された状態を一部を断面にして示す拡大側面図である。
【図２９】シャッターが開放されている途中の状態を一部を断面にして示す拡大平面図である。
【図３０】シャッターが開放位置まで移動された状態を一部を断面にして示す拡大平面図である。
【図３１】飛出防止用バネの係合突部が記録媒体カートリッジの係合凹部に係合された状態を一部を断面にして示す拡大平面図である。
【図３２】記録媒体カートリッジが位置決めされディスクテーブルにディスク状記録媒体が装着された状態を一部を断面にして示す拡大側面図である。
【図３３】飛出防止用バネの係合突部が記録媒体カートリッジの逃げ凹部に係合された状態を一部を断面にして示す拡大平面図である。
【図３４】図３５及び図３６と共に記録媒体カートリッジがホルダーに誤挿入されたときの状態を示すものであり、本図は記録媒体カートリッジが上下のみ反対向きの状態で挿入された場合を示す概念図である。
【図３５】記録媒体カートリッジが前後反対向きの状態で挿入された場合を示す概念図である。
【図３６】記録媒体カートリッジが横向きの状態で挿入された場合を示す概念図である。
【図３７】図３８乃至図４２と共に記録媒体カートリッジの変形例についての構造又は動作を示すものであり、本図は記録媒体カートリッジの拡大斜視図である。
【図３８】記録媒体カートリッジの背面側を示す拡大斜視図である。
【図３９】記録媒体カートリッジの一部を示す拡大斜視図である。
【図４０】シャッター用バネのロック解除用突部が挿入溝に挿入されている状態を一部を断面にして示す拡大平面図である。
【図４１】シャッター用バネのロック解除用突部が逃げ溝に挿入された状態を一部を断面にして示す拡大平面図である。
【図４２】ケース体の傾斜部が突出面部と摺接している状態を一部を断面にして示す拡大側面図である。
【図４３】従来のホルダーの一例を記録媒体カートリッジとともに示す概略斜視図である。
【符号の説明】
【０１６１】
１…電子機器、６…記録媒体ドライブ装置、７…シャーシ、８…ホルダー、３０…連結面部、３１…側面部、３２…側面部、３３…突出面部、３４…突出面部、３５…受け面部、３５ｂ…受部、３６…挿入口、４４…ガイド面部、１００…記録媒体カートリッジ、１０１…ケース体、２００…記録媒体、３００…記録媒体カートリッジ、３０１…ケース体、４００…記録媒体
【図１】
2005267827.tif 000003
【図２】
2005267827.tif 000004
【図３】
2005267827.tif 000005
【図４】
2005267827.tif 000006
【図５】
2005267827.tif 000007
【図６】
2005267827.tif 000008
【図７】
2005267827.tif 000009
【図８】
2005267827.tif 000010
【図９】
2005267827.tif 000011
【図１０】
2005267827.tif 000012
【図１１】
2005267827.tif 000013
【図１２】
2005267827.tif 000014
【図１３】
2005267827.tif 000015
【図１４】
2005267827.tif 000016
【図１５】
2005267827.tif 000017
【図１６】
2005267827.tif 000018
【図１７】
2005267827.tif 000019
【図１８】
2005267827.tif 000020
【図１９】
2005267827.tif 000021
【図２０】
2005267827.tif 000022
【図２１】
2005267827.tif 000023
【図２２】
2005267827.tif 000024
【図２３】
2005267827.tif 000025
【図２４】
2005267827.tif 000026
【図２５】
2005267827.tif 000027
【図２６】
2005267827.tif 000028
【図２７】
2005267827.tif 000029
【図２８】
2005267827.tif 000030
【図２９】
2005267827.tif 000031
【図３０】
2005267827.tif 000032
【図３１】
2005267827.tif 000033
【図３２】
2005267827.tif 000034
【図３３】
2005267827.tif 000035
【図３４】
2005267827.tif 000036
【図３５】
2005267827.tif 000037
【図３６】
2005267827.tif 000038
【図３７】
2005267827.tif 000039
【図３８】
2005267827.tif 000040
【図３９】
2005267827.tif 000041
【図４０】
2005267827.tif 000042
【図４１】
2005267827.tif 000043
【図４２】
2005267827.tif 000044
【図４３】
2005267827.tif 000045